(57)【特許請求の範囲】
【請求項１】
ケース内で回転自在なロータと、
アウタータンブラ対内にインナータンブラ対を相対移動自在に挿通させ、ロータのキー挿入溝内に真正キーが挿入された際に前記各タンブラ対間の分割面がロータとケースとの回転境界面に一致するタンブラ対と、
タンブラ対をキー挿入溝側に付勢し、真正キー未挿入状態で分割面を回転境界面からずらせてロータの回転を禁止するコイルバネ装置とを有し、
前記コイルバネ装置は、共通座巻き部においてアウタータンブラ対に対応する大径コイル部とインナータンブラ対に対応する小径コイル部とが連結されるとともに、前記共通座巻き部から大径コイル部と同一方向に延びる小径コイル部を大径コイル部よりも長寸にして形成され、
前記タンブラ対は、アウタータンブラ対のケース外周面側に形成される大径コイル部の自由端の突き当て面がインナータンブラ対のケース外周面側における小径コイル部の自由端の突き当て面よりもケース外周面側に配置され、
かつ、前記アウタータンブラ対のケース外周面側の端面は、外周部分に大径コイル部の突き当て面を備えるとともに、大径コイル部の内径寸法よりも小さい外径寸法に形成され、かつ、小径コイル部の外径寸法よりも大きい内径寸法に形成される内周部分が前記外周部分よりもケース外周面側に向かって突出して形成されるシリンダ錠。
【請求項２】
前記インナータンブラ対には、ケース外周面側に開放するスプリング収容凹部が形成される請求項１記載のシリンダ錠。
【請求項３】
前記小径コイル部と大径コイル部とは巻方向が逆である請求項１または２記載のシリンダ錠。
【発明の詳細な説明】
【０００１】
【発明の属する技術分野】
本発明はシリンダ錠に関するものである。
【０００２】
【従来の技術】
ロータのケースに対する回転を禁止するタンブラを二重構造とし、ピッキング（不正解錠）操作を困難にしたシリンダ錠としては、特開平１０-３０６６３３号公報に記載されたものが知られている。この従来例において、タンブラは駆動側と従動側を重ねて構成される。駆動側は外側駆動ピン内に内側駆動ピンを、従動側は外側従動ピン内に内側従動ピンをそれぞれ相対移動自在に挿通させて形成され、内外駆動ピンは別個に配置される圧縮スプリングによりロータのキー挿入溝側に付勢される。
【０００３】
しかし、上述した従来例において外側駆動ピンと内側駆動ピンに独立した付勢力を付与するために、中心径の異なる２種類の圧縮スプリングを要するために、部品の管理が困難な上に製造も面倒であるという欠点がある。
【０００５】
【発明が解決しようとする課題】
本発明は以上の欠点を解消すべくなされたものであって、製造が簡単なシリンダ錠の提供を目的とする。
【０００６】
【課題を解決するための手段】
本発明によれば上記目的は、
ケース１内で回転自在なロータ２と、
アウタータンブラ対３内にインナータンブラ対４を相対移動自在に挿通させ、ロータ２のキー挿入溝５内に真正キー６が挿入された際に前記各タンブラ対３、４間の分割面３ａ、４ａがロータ２とケース１との回転境界面８に一致するタンブラ対９と、
タンブラ対９をキー挿入溝５側に付勢し、真正キー６未挿入状態で分割面３ａ、４ａを回転境界面８からずらせてロータ２の回転を禁止するコイルバネ装置１０とを有し、
前記コイルバネ装置１０は、共通座巻き部１１においてアウタータンブラ対３に対応する大径コイル部１２とインナータンブラ対４に対応する小径コイル部１３とが連結されるとともに、前記共通座巻き部１１から大径コイル部１２と同一方向に延びる小径コイル部１３を大径コイル部１２よりも長寸にして形成され、
前記タンブラ対９は、アウタータンブラ対３のケース１外周面側に形成される大径コイル部１２の自由端の突き当て面がインナータンブラ対４のケース１外周面側における小径コイル部１３の自由端の突き当て面よりもケース１外周面側に配置され、
かつ、前記アウタータンブラ対３のケース１外周面側の端面は、外周部分に大径コイル部１２の突き当て面を備えるとともに、大径コイル部１２の内径寸法よりも小さい外径寸法に形成され、かつ、小径コイル部１３の外径寸法よりも大きい内径寸法に形成される内周部分が前記外周部分よりもケース１外周面側に向かって突出して形成されるシリンダ錠を提供することにより達成される。
【０００７】
ケース１とケース１内で回転可能なロータ２にはタンブラ対９が収容され、該タンブラ対９の分割面３ａ、４ａがロータ２の外周（回転境界面８）に一致する場合には、タンブラ対９の一方がケース１内にとどまり、他方がロータ２とともに回転できるために、ロータ２への回転操作が許容される（解錠状態）。一方、上記分割面３ａ、４ａがロータ２の外周に一致しない場合には、タンブラ対９の一方が回転境界面８に飛び出してロータ２の回転を禁止する（施錠状態）。タンブラ対９はアウタータンブラ対３内にインナータンブラ対４を相対移動自在に挿入して形成され、各々コイルバネ装置１０によりキー挿入溝５側、すなわち、分割面３ａ、４ａが回転境界面８からずれる位置に付勢される。
【０００８】
真正キーが挿入されない状態でタンブラ対９を操作してロータ２を回転させる（ピッキング操作）ためには、インナータンブラ対４とアウタータンブラ対３の双方の分割面３ａ、４ａを回転境界面８に一致させる必要があるために、ピッキング操作が困難になる。
【０００９】
上記インナータンブラ対４、およびアウタータンブラ対３を各別に付勢するためにコイルバネ装置１０は、アウタータンブラ対３に対応する大径コイル部１２と、インナータンブラ対４に対応する小径コイル部１３を有する。小径コイル部１３と大径コイル部１２は共通座巻き部１１においてのみ連結され、各コイル部１２、１３は別個独立しているために、図６（ａ）に示す無負荷状態から図６（ｂ）に示すように、小径コイル部１３の自由端（共通座巻き部１１の反対端）に圧縮荷重ＦＳを負荷すると、外径コイル部の要目に影響されることなく、小径コイル部１３の要目に従ったバネ特性を発揮し、図６（ｃ）に示すように、大径コイル部１２の自由端に圧縮荷重ＦＬを負荷すると、小径コイル部１３の要目に影響されることなく、大径コイル部１２の要目に従ったバネ特性を発揮し、個別に２個のコイルバネを装着したと全く同様のスプリング性能を発揮させることができる。また、小径コイル部１３と大径コイル部１２は共通座巻き部１１で連結されて一体化されているために、取り扱いが簡単でシリンダの製造効率を向上させることができる。
【００１２】
【発明の実施の形態】
図１、２に示すように、シリンダ錠Ａは、ケース１内に回転自在に挿入されるロータ２を有する。ロータ２の中央部には回転軸線方向に長いキー挿入溝５が形成され、先端部からキー６を挿入することができる。また、ロータ２には回転軸線に対して直交する面内に配置され、一端がキー挿入溝５に連通するタンブラ挿通孔１７が設けられる。
【００１３】
一方、ケース１には上記タンブラ挿通孔１７の径とほぼ同一径のピン挿通孔１８が設けられる。図２に示すように、ピン挿通孔１８は、ロータ２が所定角度回転した位置においてタンブラ挿通孔１７に一直線で連通し、連通状態にあるタンブラ挿通孔１７、およびピン挿通孔１８にはタンブラ対９が収容される。
【００１４】
タンブラ対９は、アウタータンブラピン１９にアウタードライブピン２０を並べたアウタータンブラ対３と、インナータンブラピン２１にインナードライブピン２２を並べたインナータンブラ対４とから構成され、インナータンブラ対４はアウタータンブラ対３内に摺動自在に挿入される。インナータンブラピン２１、およびアウタータンブラピン１９は一端がキー挿入溝５に露出させる状態で配置され、これら各タンブラピン２１、１９の他端に一端を接触させ、他端がケース１の外周側を向く姿勢でインナードライブピン２２、およびアウタードライブピン２０が配置される。
【００１５】
アウタータンブラピン１９は円筒形状に形成されるアウタードライブピン２０の外径寸法にほぼ一致する太径部１９ａと、キー挿入溝５側の先端に形成される細径部１９ｂとを有し、図２（ａ）に示すように、太径部１９ａと細径部１９ｂの境界の段部１９ｃをタンブラ挿通孔１７の段部１７ａに衝接させることにより、キー挿入溝５への突出寸法が規制される。また、アウタータンブラピン１９には、アウタードライブピン２０側に一端が開放し、該アウタードライブピン２０が挿通可能な太径中空部１９ｄと、キー挿入溝５側に一端が開放し、後述するインナータンブラピン２１の細径部２１ａが挿通可能な細径中空部１９ｅとが形成される。太径中空部１９ｄと細径中空部１９ｅとの間には外径が太径中空部１９ｄと細径中空部１９ｅとの中間の値を取る中間中空部１９ｆが形成され、該中間中空部１９ｆと太径中空部１９ｄとの境界にストッパ段部１９ｇが形成される。
【００１６】
インナードライブピン２２は、ケース１外周側に開放するスプリング収容凹部２２ａを備えた中実円柱体で、アウタードライブピン２０の中空部からアウタータンブラピン１９の太径中空部１９ｄ内に進入することができる。インナータンブラピン２１は一端にアウタータンブラピン１９の太径中空部１９ｄに挿入可能なヘッド部２１ｂを有し、他端に細径部２１ａを備えた段付きピンであり、細径部２１ａの先端をアウタータンブラピン１９の細径中空部１９ｅからキー挿入溝５に露出させた状態で装着され、ヘッド部２１ｂと細径部２１ａとの境界段部２１ｃをストッパ段部１９ｇに衝接させてキー挿入溝５への突出寸法が規制される。
【００１７】
上記タンブラ対９はコイルバネ装置１０によりキー挿入溝５側に付勢される。コイルバネ装置１０は、図５に示すように、共通座巻き部１１において大径コイル部１２と小径コイル部１３を連結して形成され、大小径コイル部１２、１３は共通座巻き部１１から同一方向に延びている。大径コイル部１２と小径コイル部１３は同心に配置され、伸縮時の相互干渉がないように、小径コイル部１３の外径は大径コイル部１２の内径より小径に形成される。
【００１８】
共通座巻き部１１において大径コイル部１２と小径コイル部１３とを連結するには、例えば、別途製造した大径コイル部１２と小径コイル部１３の一端の座巻き部同士を溶接等により接合してもよいが、図示の例においては、１本のバネ線材により小径コイル部１３を巻回し、この後、小径コイル部１３の座巻き部終端から連結部１３ａを引き出して大径コイル部１２と同一径の共通座巻き部１１を形成し、さらに共通座巻き部１１から小径コイル部１３を包囲するように大径コイル部１２を巻き上げることにより製造される。また、図示の例において大径コイル部１２と小径コイル部１３は巻き方向が逆、すなわち、大径コイル部１２が右巻きで小径コイル部１３が左巻き、あるいはその反対とされている。この結果、小径コイル部１３の線材と大径コイル部１２の線材とは交差するために、小径コイル部１３の線材が大径コイル部１２の間に噛み込むことがなくなる。
【００１９】
以上のようにして形成されたコイルバネ装置１０は、共通座巻き部１１の反対端に小径コイル部１３と大径コイル部１２の自由端が独立に配置される状態となる。このコイルバネ装置１０は、図２に示すように、小径コイル部１３の自由端をインナードライブピン２２のスプリング収容凹部２２ａ内に挿入するとともに、大径コイル部１２の自由端をアウタードライブピン２０のケース１外周面側の端面に付き当てた状態で装着され、共通座巻き部１１はピン挿通孔１８を閉塞するプレート２３により押し入れられる。
【００２０】
したがってこの実施の形態において、キー挿入溝５内にキー６が挿入されない状態では、図２（ａ）、図３に示すように、アウタータンブラ対３とインナータンブラ対４はコイルバネ装置１０によりキー挿入溝５側に付勢されるために、アウタータンブラピン１９は太径部１９ａと細径部１９ｂの境界の段部１９ｃがタンブラ挿通孔１７の段部１７ａに衝接して先端がキー挿入溝５内に突出し、インナータンブラピン２１は境界段部２１ｃをストッパ段部１９ｇに衝接させて先端がキー挿入溝５に突出する。この状態で、アウタータンブラピン１９とアウタードライブピン２０、およびインナータンブラピン２１とインナードライブピン２２との分割面３ａ、４ａはロータ２の外周、すなわち、ケース１内周との回転境界面８に一致しないために、ロータ２を回転させることはできない。キー６を挿入するとインナータンブラ対４、およびアウタータンブラ対３はキー６により排斥されてキー６表面の凹凸高さまで引き上げられ、挿入されたキー６が真正であるならば、図２（ｂ）、図４に示すように、凹凸（コード用ディンプル２４）によるアウタータンブラ対３、およびインナータンブラ対４の引き上げにより各分割面３ａ、４ａはロータ２の回転境界面８に一致し、上記施錠状態からロータ２の回転が許容される解錠状態に移行する。図４（ｂ）に示すように、コード用ディンプル２４はアウタータンブラ対３、正確にはアウタータンブラピン１９の先端と、インナータンブラ対４、正確にはインナータンブラピン２１の先端の引き上げ量を個別に決定することのできる同心円形状に形成される。
【００２１】
図示の例において、上記タンブラ対９はキー挿入溝５に挿入されたキー６の表裏各面に対応して複数対配置される。タンブラ対９はアウタータンブラピン１９とインナータンブラピン２１の長さの異なる数種のいずれかが選択されて使用され、対応するキー６のコード用ディンプル２４が適正な場合のみ分割面３ａ、４ａが回転境界面８に一致する。タンブラ対９の移動方向線（移動軸線９ａ）はロータ２の回転中心に交差し、キー６表面との交差角は９０°に設定されているが、適宜変更でき、さらに、図示の例ではキー６の表裏各面に配置されるタンブラ対９の列は一直線上に整列されているが、ランダムに配置しても良い。
【００２２】
キー６を表裏反転してキー挿入溝５に挿入した場合においてもコード検出が可能なように、キー挿入溝５の幅方向中心５ａはロータ２の回転中心からδだけ偏位しており（図２参照）、対応するキー６には図４（ｂ）に示すように、タンブラ対９の移動軸線９ａとの交差位置と、キー６を表裏反転させた際に上記移動軸線との交差位置に合致する位置の双方に対応するコード用ディンプル２４が形成される。
【００２３】
【発明の効果】
以上の説明から明らかなように、本発明によれば、製造が簡単なシリンダ錠を得ることができる。
【図面の簡単な説明】
【図１】本発明を示す分解斜視図である。
【図２】シリンダ錠の断面図で、（ａ）は図３の２Ａ-２Ａ線断面図、（ｂ）は図４の２Ｂ-２Ｂ線断面図である。
【図３】キー未挿入状態におけるシリンダ錠の断面図である。
【図４】真正キー挿入状態を示す図で、（ａ）は断面図、（ｂ）はキーの正面図である。
【図５】コイルバネ装置を示す図で、（ａ）は側面図、（ｂ）は（ａ）の５Ｂ方向矢視図、（ｃ）は（ａ）の５Ｃ方向矢視図である。
【図６】コイルバネ装置の動作を示す図で、（ａ）は自然状態を示す図、（ｂ）は小径コイル部に荷重を加えた状態を示す図、（ｃ）は大径コイル部に荷重を加えた状態を示す図である。
【符号の説明】
１        ケース
２        ロータ
３        アウタータンブラ対
３ａ      分割面
４        インナータンブラ対
４ａ      分割面
５        キー挿入溝
６        キー
８        回転境界面
９        タンブラ対
１０      コイルバネ装置
１１      共通座巻き部
１２      大径コイル部
１３      小径コイル部
【図１】
0004198834.tif 000002
【図２】
0004198834.tif 000003
【図３】
0004198834.tif 000004
【図４】
0004198834.tif 000005
【図５】
0004198834.tif 000006
【図６】
0004198834.tif 000007